【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】 細長い部材に係合する骨アンカー組立体において、
受入れ部材であって、各々がそれぞれの最小幅を有する上側開口部分及び下側開口部分と、細長い部材を受け入れる形態とされ且つ前記上側開口部分及び前記下側開口部分と連通する通路と、前記下側開口部分の一部分の周りの溝とを画成する前記受入れ部材と、
前記下側開口部分内に可動に配置されたクラウン部材であって、上面及び下面を有する前記クラウン部材と、
骨と係合する形態とされた下側部分とある幅の頭部とを有する骨係合アンカーであって、該頭部の該幅が前記下側開口部分の前記最小幅よりも狭く、前記頭部が、前記クラウン部材の前記下面に隣接して前記下側開口部分内に可動に配置された前記骨係合アンカーと、
前記頭部の前記幅よりも狭い開孔を画成する止め部材であって、前記受入れ部材の前記溝内に少なくとも部分的に収容されて、前記アンカーの周りで且つ前記頭部の下方に配置された前記止め部材とを備え、
該止め部材が、前記頭部が前記下側開口部分から除去されるのを防止する、骨アンカー組立体。
【請求項２】  請求項１の組立体において、前記上側開口部分及び前記下側開口部分が、前記受入れ部材を貫通する単一の開口部の少なくとも一部分を形成する、組立体。
【請求項３】  請求項２の組立体において、前記受入れ部材が前記上側開口部分及び前記通路を画成する２つの分岐部分を備える、組立体。
【請求項４】  請求項３の組立体において、前記分岐部分が内ねじを有する、組立体。
【請求項５】  請求項４の組立体において、前記内ねじに螺着可能に接続された圧縮部材を更に備える、組立体。
【請求項６】  請求項２の組立体において、前記受入れ部材が、前記下側開口部分の少なくとも一部分を形成するチャンバを画成し、前記クラウン部材が該チャンバ内に可動に配置される、組立体。
【請求項７】  請求項６の組立体において、前記アンカーが骨ねじである、組立体。
【請求項８】  請求項７の組立体において、前記骨ねじの前記頭部が少なくとも部分的に球状である、組立体。
【請求項９】  請求項８の組立体において、前記骨ねじの前記頭部がリッジを有する、組立体。
【請求項１０】  請求項８の組立体において、前記クラウン部材の前記下面が少なくとも部分的に球状である、組立体。
【請求項１１】  請求項１０の組立体において、前記クラウン部材の前記下面が粗面化した部分を有する、組立体。
【請求項１２】  請求項６の組立体において、前記クラウン部材が前記受入れ部材の前記上側開口部分よりも広い幅を有する、組立体。
【請求項１３】  請求項１２の組立体において、前記骨アンカーの前記頭部が工具係合プリントを有する、組立体。
【請求項１４】  請求項１３の組立体において、前記クラウン部材が、前記上面を貫通する穴を画成し、該穴を通じて前記骨アンカーの前記頭部にアクセスすることができる、組立体。
【請求項１５】  請求項１２の組立体において、前記止め部材がＣ字形部材である、組立体。
【請求項１６】  請求項１５の組立体において、前記止め部材が、無荷重の外径を有し、前記受入れ部材が溝径を有し、前記止め部材の前記無荷重の外径が前記受入れ部材の前記溝径よりも大きい、組立体。
【請求項１７】  請求項１６の組立体において、前記止め部材がある本体幅を有し、前記溝がある溝深さを有し、前記本体幅が前記溝深さよりも広い、組立体。
【請求項１８】  請求項１７の組立体において、前記止め部材が前記骨アンカーの前記頭部と係合する凹状内面を有する、組立体。
【請求項１９】  請求項１８の組立体において、前記凹状内面が球の一部分を形成する、組立体。
【請求項２０】  請求項２の組立体において、前記クラウン部材の前記下面が斜角付きである、組立体。
【請求項２１】  請求項２の組立体において、前記クラウン部材の前記下面が凹状である、組立体。
【請求項２２】  請求項２の組立体において、前記クラウン部材が前記受入れ部材の前記上側開口部分よりも広い幅を有する、組立体。
【請求項２３】  請求項２２の組立体において、前記クラウン部材が、前記上面を貫通する穴を画成し、該穴を通じて前記骨アンカーの前記頭部にアクセスすることができる、組立体。
【請求項２４】  請求項２の組立体において、前記止め部材がＣ字形部材である、組立体。
【請求項２５】  請求項２４の組立体において、前記止め部材が、無荷重の外径を有し、前記受入れ部材が溝径を有し、前記止め部材の前記無荷重の外径が前記受入れ部材の前記溝径よりも大きい、組立体。
【請求項２６】  請求項２４の組立体において、前記止め部材がある本体幅を有し、前記溝がある溝深さを有し、前記本体幅が前記溝深さよりも広い、組立体。
【請求項２７】  請求項２６の組立体において、前記止め部材が前記骨アンカーの前記頭部と係合する凹状内面を有する、組立体。
【請求項２８】  請求項２７の組立体において、前記凹状内面が球の一部分を形成する、組立体。
【請求項２９】  骨固定装置において、
少なくとも１つの骨に隣接し且つ該骨の長さに沿って配置し得る形態とされた細長い部材と、
受入れ部材であって、上端から下端まで貫通する開口部を有し、該開口部が前記下端に下側開孔を有し且つ前記上端に上側開孔を有し、前記開口部の一部分の周りに溝を画成し、該溝が前記下側開孔に近接し、前記開口部及び前記上側開孔と連通する通路を更に有し、該通路が前記細長い部材を内部に受け入れ得る形態とされた前記受入れ部材と、
前記下側開孔を通じて挿入可能であり且つ前記開口部内に配置されたクラウン部材であって、下面と、前記細長い部材に接触する反対側の上面とを有する前記クラウン部材と、
骨に係合し得る形態とされた下側部分と、ある幅寸法の頭部とを有する骨アンカーであって、前記頭部が前記下側開孔を通じて挿入可能であり且つ前記受入れ部材の前記開口部内で前記クラウン部材に隣接する前記骨アンカーと、
前記頭部の前記幅寸法よりも小さい幅寸法を有する開孔を画成する止め部材であって、前記骨アンカーの一部分の周りに配置され、該止め部材の少なくとも一部分が前記溝の少なくとも一部分内に配置される前記止め部材と、
前記上側開孔に近接して前記開口部内に係合した圧縮部材であって、前記細長い部材を前記クラウン部材に対して押し付け、これにより、前記締結具の前記頭部を前記クラウン部材と前記止め部材との間に固定する前記圧縮部材とを備える、装置。
【請求項３０】  請求項２９の装置において、前記細長い部材が脊柱ロッドである、装置。
【請求項３１】  請求項２９の装置において、前記止め部材がＣ字形部材である、装置。
【請求項３２】  請求項３１の装置において、前記止め部材が、無荷重の外径を有し、前記受入れ部材が溝径を有し、前記止め部材の前記無荷重の外径が前記受入れ部材の前記溝径よりも大きい、装置。
【請求項３３】  請求項３２の装置において、前記止め部材がある本体幅を有し、前記溝がある溝深さを有し、前記本体幅が前記溝深さよりも広い、装置。
【請求項３４】  請求項３３の装置において、前記止め部材が前記骨アンカーの前記頭部と係合する凹状内面を有する、装置。
【請求項３５】  請求項３４の装置において、前記凹状内面が球の一部分を形成する、装置。
【請求項３６】  請求項２９の装置において、前記クラウン部材が、前記上面を貫通する穴を画成し、該穴を通じて前記骨アンカーの前記頭部にアクセスすることができる、装置。
【請求項３７】  請求項２９の装置において、前記骨アンカーの前記頭部が少なくとも部分的に球状である、装置。
【請求項３８】  請求項３７の装置において、前記クラウン部材の前記下面が少なくとも部分的に球状である、装置。
【請求項３９】  マルチアキシャル骨アンカー装置の構成要素を受け入れ且つ保持する装置において、部材であって、上側開口部分及び下側開口部分と、前記上側開口部分及び前記下側開口部分を横断し且つ該開口部分と連通する通路と、前記下側開口部分の少なくとも一部分の周りの溝とを画成する前記部材を備える、装置。
【請求項４０】  請求項３９の装置において、前記上側開口部分及び前記下側開口部分が上端から下端まで前記部材を貫通する開口部の少なくとも一部分を形成する、装置。
【請求項４１】  請求項３９の装置において、前記溝が前記部材の前記下端に近接する、装置。
【請求項４２】  請求項４０の装置において、前記上側開口部分の少なくとも一部分にねじが設けられる、装置。
【請求項４３】  請求項４１の装置において、前記部材が、前記上側開口部分及び前記通路の少なくとも一部分を画成する２つの分岐部分を備える、装置。